(57)【要約】【課題】  幅方向の長さを短縮して実装面積を小さくするとともに、製造を容易として製造コストを低減する。【解決手段】  １次巻線，２次巻線を収納して閉磁路を形成するコア部は、架台２０上に支持されており、基底部から上方へ向かって立設された１対の側脚３２ａ，３２ｂおよび両側脚の間隔内に配設された中央脚を有するＥ型コア３０と、Ｅ型コアの上部開放面を閉塞するＩ型コア４０を備える。Ｅ型コアは、中央脚の外周部に１次巻線，２次巻線を上下に積み重ねて巻回する多段ボビン５０が設けられ、１対の側脚を有する側面部に隣接する側面部が開放され、１対の側脚を有する側面部および多段ボビン５０に２次巻線を誘導する巻線誘導用溝７０が設けられる。Ｅ型コアの１対の側脚を有する側面部の架台に、１次巻線，２次巻線の各端部を接続する端子部６０ａ，６０ｂを設ける。【選択図】          図１
2006005038.tif 000002
【特許請求の範囲】
【請求項１】
１次巻線および２次巻線を収納して閉磁路を形成するコア部を備え、前記１次巻線と前記２次巻線との間で電磁誘導を行うリーケージトランスにおいて、
前記コア部は、架台上に支持されるとともに、基底部から上方へ向かって立設された１対の側脚および該１対の側脚の間隔内に配設された中央脚を有するＥ型コアと、該Ｅ型コアの上部開放面を閉塞するＩ型コアとを備え、
前記Ｅ型コアは、前記中央脚の外周部に前記１次巻線および前記２次巻線を上下に積み重ねて巻回する多段ボビンが設けられるとともに、前記１対の側脚を有する側面部に隣接する側面部が開放されており、前記１対の側脚を有する側面部の少なくとも一方側に少なくとも２次巻線を誘導する巻線誘導用溝が設けられ、かつ前記多段ボビンの前記巻線誘導用溝と重なる位置の少なくとも一部にも前記巻線誘導用溝と連通する巻線誘導用溝が設けられ、
前記架台は、前記Ｅ型コアの前記１対の側脚を有する側面部の少なくとも一方側に、前記１次巻線および前記２次巻線の各端部を接続する端子部が設けられていることを特徴とするリーケージトランス。
【請求項２】
前記Ｅ型コアは、前記中央脚と、前記１対の側脚のうちいずれか一方との間に、前記１次巻線の一部を巻回して前記１次巻線と前記２次巻線の結合係数を調整する補助脚が設けられるとともに、該補助脚の外周部に１次巻線を巻回する補助ボビンが設けられていることを特徴とする請求項１記載のリーケージトランス。
【請求項３】
前記補助ボビンと前記架台とに、前記１次巻線を掛け渡して前記１次巻線に張力を与えることにより前記２次巻線との接触を防止するための巻線引っ掛け部を設けたことを特徴とする請求項２記載のリーケージトランス。
【請求項４】
前記端子部は、前記１対の側脚を有する側面部の双方に位置する前記架台に設けられ、一方の側面部に設けられた端子部を巻線の巻始め側とし、他方の側面部に設けられた端子部を巻線の巻終わり側とすることを特徴とする請求項１〜３のうちいずれか１項記載のリーケージトランス。
【請求項５】
前記Ｅ型コアは、横断面形状が略長方形状をなすとともに、長手方向の両端部に位置する前記架台に前記端子部が設けられていることを特徴とする請求項１〜４のうちいずれか１項記載のリーケージトランス。
【請求項６】
前記架台の裏側に、前記巻線誘導用溝から前記端子部へ向かって巻線を誘導するガイド部を設けたことを特徴とする請求項１〜５のうちいずれか１項記載のリーケージトランス。
【請求項７】
前記多段ボビンの巻枠を構成する複数の鍔部は、前記巻線誘導用溝と上下方向に対向する位置に、それぞれ切欠部が設けられていることを特徴とする請求項１〜６のうちいずれか１項記載のリーケージトランス。
【発明の詳細な説明】
【技術分野】
【０００１】
本発明は、液晶表示装置のバックライトを点灯させるための点灯回路等に使用されるリーケージトランスに関する。
【背景技術】
【０００２】
ＴＶモニタやパーソナルコンピュータのモニタに使用される液晶表示装置は、バックライトを点灯させるための点灯回路を備えている。この点灯回路は、高電圧を発生させて液晶表示装置を駆動するために、リーケージトランスが用いられるのが一般的である。この種のリーケージトランスとしては、例えば特許文献１に記載されたものが知られている。
【０００３】
特許文献１に記載されたリーケージトランスは、１次巻線および２次巻線を収納して閉磁路を形成するコア部を備え、１次巻線と２次巻線との間で電磁誘導を行うようになっている。コア部は、周囲が側脚に囲まれたポット状の下側コアと、下側コアの上部開放面を閉塞する上側コアとを備えており、下側コアの基底部には上方へ向かって中央脚が立設されている。
【０００４】
また、下側コアの基底部に、１次巻線の一部を巻回して１次巻線と２次巻線の結合係数を調整する補助脚を備えており、コア部が横長状となっている。
【０００５】
【特許文献１】特開２００３−１２４０３７号公報
【発明の開示】
【発明が解決しようとする課題】
【０００６】
ところで、近年の液晶表示装置は、液晶表示部を囲む枠部の面積を少なくして、同一の画面サイズであっても全体の小型化を図るとともに、厚みを減少させて薄型化を図り、より軽量かつコンパクトなものとすることが要求されている。このため、点灯回路に使用されるリーケージトランスにおいても、回路基板に対する実装面積を減少させるため、さらなる小型化が要求されている。
【０００７】
しかしながら、前記した従来のリーケージトランスは、下側コアがポット型となっているため、巻線部のボビンの周囲が側脚に囲まれており、ボビンの巻枠が全体形状に比して小さく、スペースを有効に生かしてハイパワーのトランスとすることができなかった。また、装置全体の小型化にも限界があった。特に、１次巻線の一部を巻回して１次巻線と２次巻線の結合係数を調整するための補助脚を設けた場合には、横長状のコア部において、短手方向の幅を狭めることが難しかった。
【０００８】
本発明は、上述した事情に鑑み提案されたもので、幅方向の長さを短縮して実装面積を小さくすることが可能であり、さらに製造が容易で製造コストを低減することが可能なリーケージトランスを提供することを目的とする。
【課題を解決するための手段】
【０００９】
本発明のリーケージトランスは、上述した目的を達成するため、１次巻線および２次巻線を収納して閉磁路を形成するコア部を備え、前記１次巻線と前記２次巻線との間で電磁誘導を行うリーケージトランスにおいて、
前記コア部は、架台上に支持されるとともに、基底部から上方へ向かって立設された１対の側脚および該１対の側脚の間隔内に配設された中央脚を有するＥ型コアと、該Ｅ型コアの上部開放面を閉塞するＩ型コアとを備え、
前記Ｅ型コアは、前記中央脚の外周部に前記１次巻線および前記２次巻線を上下に積み重ねて巻回する多段ボビンが設けられるとともに、前記１対の側脚を有する側面部に隣接する側面部が開放されており、前記１対の側脚を有する側面部の少なくとも一方側に少なくとも２次巻線を誘導する巻線誘導用溝が設けられ、かつ前記多段ボビンの前記巻線誘導用溝と重なる位置の少なくとも一部にも前記巻線誘導用溝と連通する巻線誘導用溝が設けられ、
前記架台は、前記Ｅ型コアの前記１対の側脚を有する側面部の少なくとも一方側に、前記１次巻線および前記２次巻線の各端部を接続する端子部が設けられていることを特徴とするものである。
【００１０】
ここで、前記Ｅ型コアは、前記中央脚と、前記１対の側脚のうちいずれか一方との間に、前記１次巻線の一部を巻回して前記１次巻線と前記２次巻線の結合係数を調整する補助脚が設けられるとともに、該補助脚の外周部に１次巻線を巻回する補助ボビンが設けられるように構成することが可能である。
【００１１】
また、前記補助ボビンと前記架台とに、前記１次巻線を掛け渡して前記１次巻線に張力を与えることにより前記２次巻線との接触を防止するための巻線引っ掛け部を設けるように構成することが可能である。
【００１２】
また、前記端子部は、前記１対の側脚を有する側面部の双方に位置する前記架台に設けられ、一方の側面部に設けられた端子部を巻線の巻始め側とし、他方の側面部に設けられた端子部を巻線の巻終わり側とすることが可能である。また、いずれか一方の側面部に設けられた端子部を巻線の巻始め側および巻終わり側とすることもできる。このような構成とすることにより、様々な巻線パターンに対応することができる。
【００１３】
また、前記Ｅ型コアは、横断面形状が略長方形状をなすとともに、長手方向の両端部に位置する前記架台に前記端子部が設けられるように構成することが可能である。
【００１４】
また、前記架台の裏側に、前記巻線誘導用溝から前記端子部へ向かって巻線を誘導するガイド部を設けるように構成することが可能である。
【００１５】
また、前記多段ボビンの巻枠を構成する複数の鍔部は、前記巻線誘導用溝と上下方向に対向する位置に、それぞれ切欠部が設けられるように構成することが可能である。
【発明の効果】
【００１６】
本発明に係るリーケージトランスは、端子部を設けた側脚を有する側面部に隣接する側面部を開放しているため、この開放された両側面部間の幅一杯に巻線部を配設することができる。したがって、同一の大きさの巻線部を有する従来のリーケージトランスと比較して、開放された両側面部間の幅方向の長さを短くすることができ、リーケージトランスの小型化を図ることができる。
【００１７】
また、１次巻線および２次巻線が多段ボビンに巻回されているため、これによってもボビンの幅方向の長さを短くすることができ、リーケージトランスの小型化に貢献することができる。
【発明を実施するための最良の形態】
【００１８】
以下、図面に示す具体的な実施例を用いて、本発明に係るリーケージトランスの実施形態を説明する。
【００１９】
図１〜図４は、本発明の実施形態に係るリーケージトランスを示すもので、図１はリーケージトランスの斜視図、図２は架台および２段ボビンの斜視図、図３はリーケージトランスの底面図、図４はリーケージトランスの縦断面図である。なお、図２に示す架台および２段ボビンは、図１に示すリーケージトランスを右後方側から見た状態となっている。
【００２０】
本発明の実施形態に係るリーケージトランス１０は、図１〜図３に示すように、絶縁性を有する架台２０上に、磁性部材からなるコア部を取り付けて構成されている。
【００２１】
コア部は、１次巻線９０および２次巻線１００を収納して閉磁路を形成する部材で、架台２０上に支持されるとともに、基底部３１から上方へ向かって立設された１対の側脚３２ａ，３２ｂおよび該１対の側脚３２ａ，３２ｂの間隔内に配設された中央脚３３を有するＥ型コア３０と、Ｅ型コア３０の上部開放面を閉塞するＩ型コア４０とを備えている。
なお、側脚３２ａは、後に詳述する巻線誘導用溝７０を設けるため、図１において前後方向に２つに分割されている。ここで、Ｅ型コア３０およびＩ型コア４０は、例えばフェライトを用いて形成される。
【００２２】
Ｅ型コア３０には、中央脚３３の外周部に１次巻線９０および２次巻線１００を上下に積み重ねて巻回する２段ボビン５０が取り付けられている。この２段ボビン５０は、下段側に２次巻線１００を巻回し、上段側に１次巻線９０を巻回するようになっている。また２段ボビン５０は、下側から順に下側鍔部５１、中間鍔部５２および上側鍔部５３を備えている。
【００２３】
この２段ボビン５０は、下側鍔部５１が架台２０の上面と一体となっており、中間鍔部５２により２次巻線１００を巻回する下段側と１次巻線９０を巻回する上段側とが隔離されており、さらに、上側鍔部５３がＩ型コア４０を下側から支えるようになっている。また、上側鍔部５３の上面には、Ｉ型コア４０に設けた位置決め溝４１に嵌り込む位置決め部５４ａ，５４ｂが設けられている。なお、本実施例では、２段ボビン５０が架台２０と一体に成型されているが、２段ボビン５０を架台２０とは別体に形成してもよい。
【００２４】
また、１対の側脚３２ａ，３２ｂを有する側面部に位置する架台２０には、１次巻線９０および２次巻線１００の各端部を接続する端子部６０ａ，６０ｂが設けられている。さらに、Ｅ型コア３０は、１対の側脚３２ａ，３２ｂを有する側面部に隣接する側面部、すなわち、端子部６０ａ，６０ｂが設けられていない側面部が開放されている。
【００２５】
また、側脚を有する一側の側面部（図１において右側、図２において左側の側面部６０ａ）には、中央脚３３の外周部から架台２０の側面に向かって連通した巻線誘導用溝７０が設けられている。この巻線誘導用溝７０は、２段ボビン５０の下側の段部に２次巻線１００を巻回する際に巻線ノズル（図示せず）が挿入される部分である。
【００２６】
ここで、巻線誘導用溝７０は、架台２０の側面から側脚３２ｂおよびE型コア３０の基底部３１を通って、中央脚３３の外周部まで連通しているため、側脚３２ｂは、巻線誘導用溝７０により、幅方向のほぼ中央付近において２つに分割されている。これにより、Ｉ型コア５０を下側から確実に支持する機能を確保しつつ、２段ボビン５０から端子部３２ｂへの巻線の誘導を容易に行うことができるとともに、側脚３２ｂと中央脚３３を通る磁束を均一化することができる。
【００２７】
また、Ｅ型コア３０には、中央脚３３と一方の側脚（図１において左側、図２において右側の側脚３２ｂ）との間に、１次巻線９０の一部９０ａを巻回して１次巻線９０と２次巻線１００の結合係数を調整する補助脚３４が設けられており、この補助脚３４の外周部には、１次巻線９０の一部９０ａを巻回する補助ボビン８０が取り付けられている。この補助ボビン８０は、２段ボビン５０の中間鍔部５２と略同一平面上に位置する下側補助鍔部８１と、２段ボビン５０の上側鍔部５３と略同一平面上に位置する上側補助鍔部８２とを備えている。
【００２８】
上述したように、端子部６０ａ，６０ｂは、１対の側脚３２ａ，３２ｂを有する側面部に位置する架台２０に設けられており、補助脚３４側の側面部には、４つの端子ピン６１ｂ〜６１ｅと、これらの端子ピン６１ｂ〜６１ｅの両側からそれぞれ斜めに突出して設けられた２つの絡げ端子６１ａ，６１ｆを備えており、他側の側面部には、２つの端子ピン６２ａ，６２ｄと、両端子ピン６２ａ，６２ｄの間隔内から突出して設けられた２つの絡げ端子６２ｂ，６２ｃを備えている。
【００２９】
また、架台２０の裏面には、図３に示すように、端子部６０ａ，６０ｂ間で巻線を誘導するガイド壁２１が設けられている。このガイド壁２１により、端子部６０ａ，６０ｂ間で巻線が容易かつ確実に導かれ、巻線の断線、あるいは他の部材との接触によるショート等を防止することができる。
【００３０】
なお、架台２０の裏面にガイド壁２１を設けるのではなく、架台２０の裏面にガイド溝を設けることにより、端子部６０ａ，６０ｂ間で巻線を誘導するガイド部を形成してもよい。
【００３１】
本実施例では、一方の側面部に設けられた端子部６０ａ（例えば図３において右上側の絡げピン６２ｃ）を巻線の巻始め側とし、他方の側面部に設けられた端子部６０ｂ（例えば図３において左下側の絡げピン６１ａ）を巻線の巻終わり側としている。ここで、特に高電圧が発生する２次巻線１００のみにおいて、巻線の巻始め側と巻終わり側を左右に振り分けてもよい。このように、巻線の巻始め側と巻終わり側を同一の側面部に設けることなく左右に振り分けることにより、巻線（特に２次巻線１００）における絶縁破壊を防止することができる。
【００３２】
また、巻線の巻始め側および巻終わり側に関しては、種々の変更を行うことができる。例えば、図３において、右上側の端子ピン６２ｄを巻線の巻始め側とし、右下側の端子ピン６２ａを巻線の巻終わり側とし、あるいは巻線の巻始め側と巻終わり側をこれとは上下逆にすることもできる。同様に、図３において、左上側の絡げピン６１ｆを巻線の巻始め側とし、右下側の絡げピン６２ｂを巻線の巻終わり側としたり、あるいは巻線の巻始め側と巻終わり側をこれとは左右逆にすることもできる。
【００３３】
このように、巻線の巻始め側および巻終わり側の位置を種々変更して実施することができ、様々な巻線パターンに対応して基板設計の自由度を増すことができる。
【００３４】
また、図１に示すように、補助ボビン８０の上側補助鍔部８２と架台２０には、それぞれ１次巻線９０を引っ掛けるための巻線引っ掛け部８３，２２が設けられており、この巻線引っ掛け部８３，２２の間に１次巻線９０を掛け渡すことにより１次巻線９０に張力を与えている。このように、１次巻線９０に張力を与えることにより、１次巻線９０が弛んで２次巻線１００と接触してショートするおそれがなくなる。
【００３５】
また、架台２０およびこれと一体となった２段ボビン５０には、Ｅ型コア３０の側脚３２ａ，３２ｂ、中央脚３３、および補助脚３４を挿通するための挿通孔２３ａ，２３ｂ，２４，２５が設けられている。
【００３６】
＜他の実施形態＞
上述した実施形態では、巻線の巻始め側と巻終わり側を同一の側面部とするのではなく左右に振り分けているが、２次巻線１００等における絶縁破壊を確実に防止することができる場合には、巻線の巻始め側と巻終わり側を同一の側面部に設けてもよい。
【００３７】
例えば、一方の側面部に設けられた端子部６０ａ（図３において右上側の絡げピン６２ｃ）を巻線の巻始め側とし、同一の側面部に設けられた端子部６０ｂ（図３において右下側の絡げピン６１ｂ）を巻線の巻終わり側とすることができる。
【００３８】
このように、２次巻線１００等で発生する電圧が絶縁破壊を起こすほど高圧ではなく、さらに巻線の巻始め側と巻終わり側とを確実に分離することができるのであれば、巻線の巻始め側と巻終わり側を同一の側面部とすることができる。
【００３９】
また、図示しないが、２段ボビンの下側鍔部だけではなく、巻線誘導用溝７０に対向する中間鍔部５２および上部鍔部５３に切り欠き部を設けてもよい。この切り欠き部により、巻線の誘導をさらに容易かつ確実に行うことができる。
【００４０】
また、前記実施形態では、中央脚の外周に２段ボビンを取り付け、上段側に１次巻線を巻回し、下段側に２次巻線を巻回しているが、ボビンの段数を３段、４段、あるいはそれ以上とし、２次巻線を複数段巻回してもよい。
【００４１】
またＥ型コアおよびＩ型コアはフェライトにより形成されているが、コアの形成材料としてはこれに限られるものではなく、他の一般的なコア材料から選択することが可能であり、例えば、パーマロイ、センダスト、鉄カルボニル等の材料を用いることが可能であり、これらの微粉末を圧縮成型したダストコアを使用することも可能である。
【００４２】
また、Ｅ型コアの中央脚の上面および補助脚の上面と、Ｉ型コアとの間にギャップを設けることにより、１次巻線と２次巻線の結合係数を調整してもよい。
【図面の簡単な説明】
【００４３】
【図１】本発明の実施形態に係るリーケージトランスの斜視図
【図２】本発明の実施形態に係るリーケージトランスの架台および２段ボビンの斜視図
【図３】本発明の実施形態に係るリーケージトランスの底面図
【図４】本発明の実施形態に係るリーケージトランスの縦断面図
【符号の説明】
【００４４】
１０  リーケージトランス
２０  架台
２１  ガイド壁
２２、８３  巻線引っ掛け部
２３ａ，２３ｂ，２４  挿通孔
３０  Ｅ型コア
３１  基底部
３２ａ，３２ｂ  側脚
３３  中央脚
３４  補助脚
４０  Ｉ型コア
４１  位置決め溝
５０  ２段ボビン
５１  下側鍔部
５２  中間鍔部
５３  上側鍔部
５４ａ，５４ｂ  位置決め部
６０ａ，６０ｂ  端子部
６１ｂ〜ｅ，６２ａ，６２ｄ  端子ピン
６１ａ，６１ｆ，６２ｂ，６２ｃ  絡げ端子
７０  巻線誘導用溝
８０  補助ボビン
８１  下側補助鍔部
８２  上側補助鍔部
９０  １次巻線
９０ａ  結合係数調整用１次巻線
１００  ２次巻線
【図１】
2006005038.tif 000003
【図２】
2006005038.tif 000004
【図３】
2006005038.tif 000005
【図４】
2006005038.tif 000006